(57)【特許請求の範囲】
【請求項１】
患者の口腔内の形状に基づいて、透明樹脂材料により一体的に形成される、歯科矯正治療用アライナーであって、
歯科矯正治療時に患者の上顎側の歯列に対向・装着される歯列対向部であって、患者のアライナー装着前の歯列の形状に基づいて形成され、前記歯列に含まれる各歯の中、矯正対象となっていない各歯については現状の位置及び形状で前記各歯をそれぞれが覆うように形成され、且つ矯正対象となっている歯については矯正すべき方向に所定距離だけ移動した位置及び形状で前記歯を覆うように形成された各歯対向部を含み、その全体形状が前記上顎側の歯列の並び方に対応して略弓状に湾曲している歯列対向部と、
歯科矯正治療時に患者の上顎側の口蓋に対向・配置される口蓋対向部であって、患者のアライナー装着前の口蓋の形状に基づいて形成され、前記歯列対向部の中の患者の内側の歯頚部に対向している内側湾曲縁部と前記歯列対向部の両端部を略直線状に結ぶ線分とにより囲まれた略扇状に形成された口蓋対向部と、
歯科矯正治療時に患者の上顎側の外側歯肉に対向・配置される外側歯肉対向部であって、患者のアライナー装着前の上顎側の外側歯肉の形状に基づいて形成され、前記歯列対向部の患者の前方側から患者の歯肉頬移行部に向けて約６ｍｍ〜１４ｍｍ延びるように形成された外側歯肉対向部と、を備え、
前記歯列対向部と前記口蓋対向部とが連続するように、且つ前記歯列対向部と前記外側歯肉対向部とが連続するように、前記歯列対向部と前記口蓋対向部と前記外側歯肉対向部とが透明樹脂製の薄片により一体的に形成されており、
「前記歯列対向部から口蓋対向部へ連続的に移行する途中部分」と「前記歯列対向部から外側歯肉対向部へ連続的に移行する途中部分」には、それぞれ、互いに対向し且つ近づくように部分的に湾曲するように形成された括れ部であって、それぞれが、患者の内側の歯頚部又はその近傍部分と外側の歯頚部又はその近傍部分とをそれぞれ押圧することによりアライナーを患者の歯に安定的に支持・装着させるための括れ部、が形成されている、ことを特徴とする歯科矯正治療用アライナー。
【発明の詳細な説明】
【技術分野】
【０００１】
本発明は、歯列の矯正治療のために使用する透明樹脂製のアライナーに関する。
【背景技術】
【０００２】
従来より、患者の問題のある歯並びを矯正するために、透明なラミネート（高分子化合物から成る薄片）で少しずつ歯を矯正すべき方向に移動させた形に成型したものを段階的に用意して、それらを定期的に交換することにより矯正治療を進めていく可撤式装置（アライナー）が知られている。このアライナーは、従来のマルチブラケットシステムなどと比較して、審美的であることや違和感や痛みが少ないことなどから、近年、需要が増加している。
【０００３】
このようなアライナーに関しては、現状では、数種類の方式が存在している。この内の主だった２種類の方式について説明する。
【０００４】
１つの種類の方式においては、矯正前の患者の歯列形状を示すシリコン印象を直接ＣＴスキャンしてコンピュータで制作した３Ｄ画像データに基づいて、クリンチェックで計画された治療計画と最終決定画像（矯正予想画像）に従って、最初のステップから最後のステップまでの各ステップでそれぞれ使用される多数のアライナー（各アライナーを形成する薄片の厚さは約０．３５〜０．７ｍｍで部位によって異なる）が一度にコンピュータ制御された工程で製造され、それらが一度に歯科医院側（患者側）に届けられる（特許文献１の図２Ａ，図２Ｃなど参照。また、特許文献２の図１Ａ，図１Ｃなど参照。また、商品名として例えば「インビザライン」）。例えば、矯正のため、或る歯を３ｍｍだけ移動させようとする場合、０．２ｍｍくらい毎に移動した形状のアライナーを計１５個、一度に製造し、歯科医院側（患者側）に一度に届ける。歯科医院側（患者側）では、この計１５個のアライナーを、各ステップ毎に２週間ずつ使用し、次のステップに進むときに交換する。
【０００５】
また、別の種類の方式においては、矯正治療の各ステップ毎に、そのステップ直前の患者の歯列形状を示す印象とこれにより製作した模型に基づいて、その後の１ステップのアライナーのみ（後述のソフトタイプとハードタイプとの計２個）を機械装置と手作業とで製作する。材料は、公知の透明樹脂材料、例えばポリエチレン系の熱可塑性の透明な高分子化合物のラミネート（薄片）を使用する。実際には、１ステップ毎に、約０．５ｍｍ厚のソフトタイプと、約０．７５ｍｍのハードタイプとの、同じ形状だが厚みの違うアライナーが、１個ずつ、製作される。各ステップの治療では、ソフトタイプは最初の例えば１週間だけ使用し、その後、ハードタイプを例えば２週間だけ使用する。これらの計３週間の使用で１ステップが終了する。そして、このステップ終了時における患者の歯列形状を示す印象とこれにより製作した模型に基づいて、さらに次のステップのためのアライナー（ソフトタイプとハードタイプ）が機械装置と手作業で製作される。このような作業が、矯正の程度（矯正対象となる歯の移動すべき距離）に応じて数回から十数回のステップに分けて、それぞれ繰り返される。
【０００６】
すなわち、この後者の方式では、例えば矯正のために或る歯を３ｍｍだけ移動させようとする場合、まず、矯正前の現状から０．５ｍｍだけ移動した形状のアライナーを２種類（ソフトタイプとハードタイプ）、例えば歯科技工士などが製作し、歯科医院側（患者側）に届ける。歯科医院側（患者側）では、このアライナーをソフトタイプは１週間、ハードタイプはその後の２週間使用する。その後、そのステップ終了時の印象とこれによる模型を作成する。そして、次のステップで使用する、前記ステップ終了時の状態からさらに０．５ｍｍだけ移動した形状のアライナーを歯科技工士などが製作する。このような作業を、例えば計１０回（０．５ｍｍ×６回＝３．０ｍｍの移動）のステップが終了するまで繰り返す。しかし、０．５ｍｍ移動させたアライナーを装着しても実際に動く量は半分位なので６回よりも多く回数がかかる。
【０００７】
なお、図３（ａ）はこのように従来の方式において使用されるアライナーの表側（上顎側の歯と対向・接触しない側）を示す斜視図、図３（ｂ）はその裏側（上顎側の歯に対向・接触する側）を示す斜視図である。図３（ａ）（ｂ）に示すように、従来のアライナーにおいては、患者の歯冠を覆う部分（患者の歯頚部までの部分）１のみから構成されている。すなわち、図３（ａ）（ｂ）に示すように、従来のアライナーにおいては、その周縁部１ｂの全体（全周囲）が、患者の歯頚部に対応する位置とほぼ一致している。また、図３（ａ）（ｂ）に示すように、従来のアライナーは、その全体形状が、湾曲した略弓状に形成されている。なお、図３において、１ａは、前記患者の歯冠を覆う部分１の中に形成された各歯に対応する各凹凸部（各歯を覆うように各歯の形状にそれぞれ対応するように形成された各凹凸部）である。
【特許文献１】特許第３６３９２１５号公報
【特許文献２】特許第３６４１２０８号公報
【発明の開示】
【発明が解決しようとする課題】
【０００８】
前述のような従来のアライナーは、確かに審美的で違和感や痛みが少ないなどの利点はあるが、前述のように例えば約０．３〜０．７５ｍｍ厚程度の薄片により形成されておりそれ自体の強度が小さく、またその全体が湾曲した略弓状であるため、それ自体が変形し易く、使用・装着時の患者の歯を移動させる力が弱いという問題点があった。そのため、１回のステップで歯を移動できる距離が例えば０．１〜０．３ｍｍ程度という小さいものに止まってしまうため、歯列矯正治療のために多数のステップが必要となってしまい、その結果、歯列矯正治療の期間も費用も増大してしまう、という問題があった。
【０００９】
本発明はこのような従来技術の問題点に着目してなされたものであって、特に上顎側の歯列を矯正するためのアライナーの耐変形性を高めることにより、使用・装着時の患者の歯を移動させる力を強くし、１回のステップにおける歯の移動可能距離を伸ばし、歯列矯正治療の全体の期間や費用を低減することができる、上顎側歯列矯正用のアライナーを提供することを目的とする。
【課題を解決するための手段】
【００１０】
以上のような課題を解決するための本発明による歯科矯正治療用アライナーは、患者の口腔内の形状に基づいて、透明樹脂材料により一体的に形成される、歯科矯正治療用アライナーであって、歯科矯正治療時に患者の上顎側の歯列に対向・装着される歯列対向部であって、患者のアライナー装着前の歯列の形状に基づいて形成され、前記歯列に含まれる各歯の中、矯正対象となっていない各歯については現状の位置及び形状で前記各歯をそれぞれが覆うように形成され、且つ矯正対象となっている歯については矯正すべき方向に所定距離だけ移動した位置及び形状で前記歯を覆うように形成された各歯対向部を含み、その全体形状が前記上顎側の歯列の並び方に対応して略弓状に湾曲している歯列対向部と、歯科矯正治療時に患者の上顎側の口蓋に対向・配置される口蓋対向部であって、患者のアライナー装着前の口蓋の形状に基づいて形成され、前記歯列対向部の中の患者の内側の歯頚部に対向している内側湾曲縁部と前記歯列対向部の両端部を略直線状に結ぶ線分とにより囲まれた略扇状に形成された口蓋対向部と、歯科矯正治療時に患者の上顎側の外側歯肉に対向・配置される外側歯肉対向部であって、患者のアライナー装着前の上顎側の外側歯肉の形状に基づいて形成され、前記歯列対向部の患者の前方側から患者の歯肉頬移行部に向けて約６ｍｍ〜１４ｍｍ延びるように形成された外側歯肉対向部と、を備え、前記歯列対向部と前記口蓋対向部とが連続するように、且つ前記歯列対向部と前記外側歯肉対向部とが連続するように、前記歯列対向部と前記口蓋対向部と前記外側歯肉対向部とが透明樹脂製の薄片により一体的に形成されており、「前記歯列対向部から口蓋対向部へ連続的に移行する途中部分」と「前記歯列対向部から外側歯肉対向部へ連続的に移行する途中部分」とには、それぞれ、互いに対向し且つ近づくように部分的に湾曲するように形成された括れ部であって、それぞれが、患者の内側の歯頚部又はその近傍部分と外側の歯頚部又はその近傍部分とをそれぞれ押圧することによりアライナーを患者の歯に安定的に支持・装着させるための括れ部、が形成されている、ことを特徴とするものである。
【００１１】
また、本発明は、特に、「前記歯列対向部から口蓋対向部へ連続的に移行する途中部分」と「前記歯列対向部から外側歯肉対向部へ連続的に移行する途中部分」とに、それぞれ、互いに対向し且つ近づくように部分的に湾曲するように形成された括れ部であって、それぞれが、患者の内側の歯頚部又はその近傍部分と外側の歯頚部又はその近傍部分とを押圧することによりアライナーを患者の歯に安定的に支持・装着させるための括れ部、が形成されていること、を特徴とするものである。
【発明の効果】
【００１２】
本発明においては、前述のように、上顎側の歯列に対向する略弓状の歯列対向部と上顎側の口蓋に対向する略扇状の口蓋対向部とが透明樹脂製の薄片により一体的に成型されている。そのため、本発明においては、従来のように略弓状の歯列対向部（歯列対向部の周縁部の全周囲は患者の歯頚部に対応する位置とほぼ一致している）のみからアライナーが構成される場合と比較して、アライナーを構成する前記略弓状の歯列対向部の全体が前記口蓋対向部によって支持されることになり、前記略弓状の歯列対向部の耐変形性が増大することになる。よって、本発明によれば、アライナーの使用・装着時の患者の歯を移動させる力が強くなるので、１回のステップにおける歯の移動距離を伸ばすことができ、歯列矯正治療の全体の期間や費用を低減することができるようになる。
【００１３】
また、本発明では、前述のように、前記歯列対向部の患者の前方側（外側＝喉から遠い側）から患者の歯肉頬移行部に向けて約６ｍｍ〜１４ｍｍ延びるように形成された外側歯肉対向部が一体に形成されているので、前記略弓状の歯列対向部が前記口蓋対向部だけでなく前記外側歯肉対向部によっても支持されるようになり、前記略弓状の歯列対向部の耐変形性が、より一層、増大されるようになる。
【００１４】
また、本発明においては、前記の口蓋対向部（又は前記歯列対向部の中の患者の内側の歯頚部と対向する部分もしくはその近傍部分）と外側歯肉対向部（又は前記歯列対向部の中の患者の外側の歯頚部と対向する部分もしくはその近傍部分）に、それぞれ、互いに近づくように対向する括れ部を形成し、この各括れ部が患者の内側の歯頚部又はその近傍部分と外側の歯頚部又はその近傍部分とをそれぞれ押圧する（外側方向に及び内側方向に押圧する）ようにしているので、アライナーが患者の歯全体に安定的に支持・装着されるようになる。
【００１５】
また、本発明においては、アライナーが前記口蓋対向部を備えているため、患者の上顎側の口蓋をアライナー全体の固定源として使用することができるので（アライナーを固定することにより、アライナーが固定できない場合に比べてアライナーの作用が大幅に増強されるので）、矯正対象となる歯の移動をより確実に行うことができるようになる（これに対して、従来のアライナーにおいては、アライナーの固定源がないため、アライナーによる歯の移動の効果が少なくなってしまうという問題があった）。また、特に、本発明のように患者の口蓋を固定源として使用することが可能になると、歯列弓の片側のみを拡大する矯正治療も、より効果的に行うことができるようになる。
【発明を実施するための最良の形態】
【００１６】
本発明を実施するための最良の形態は、以下の実施例１について述べるような形態である。
【実施例１】
【００１７】
図１（ａ）は本発明の実施例１による上顎側の歯列矯正用のアライナーの外側（上顎側の歯と対向・接触しない側）を患者の歯列に対向する側から示す斜視図、図１（ｂ）は本実施例１のアライナーの外側（上顎側の歯と対向・接触しない側）を患者の歯列に対向する側とは逆の口蓋に対向する側から示す斜視図、図１（ｃ）は本実施例１のアライナーの内側（上顎側の歯と対向・接触する側）を示す斜視図、図１（ｄ）は図１（ｃ）のアライナーの中央断面図である。
【００１８】
図１において、１１は患者の上顎側の歯冠（患者の上顎側の歯頚部から下方に突出する部分）に対応・対向する歯列対向部、１１ａは前記歯列対向部１１を構成する各凹凸部であって患者の各歯に対応するように形成されている各凹凸部（患者の各歯を覆うことができるように各歯の形状にそれぞれ対応するように形成された各凹凸部）、である。本実施例１では、前記歯列対向部１１は、その全体形状が、患者の上顎側の歯列に対応するように、略弓状に湾曲するように形成されている。
【００１９】
本実施例１においては、図１（ｃ）に示すように、前記歯列対向部１１の外側（前方側＝喉から遠い側）には、前記歯列対向部１１の外側（前方側＝喉から遠い側）から患者の歯肉頬移行部まで約７．８ｍｍ〜１２ｍｍ延びる外側歯肉対向部１１ｂが前記歯列対向部１１と一体的に形成されている（なお、患者の口腔によっては、前記外側歯肉対向部１１ｂは、前記歯列対向部１１の外側から患者の歯肉頬移行部に向けて約６ｍｍ〜１４ｍｍ延びるように形成されたものでもよい）。この外側歯肉対向部１１ｂは、患者の外側歯肉の実際の形状に基づいて前記外側歯肉の実際の形状に合うように、且つ前記歯列対向部１１の外側（前方側＝喉から遠い側）の部分から連続するように、前記歯列対向部１１と一体的に形成されている。
【００２０】
また、図１において、１２は患者の上顎側の口蓋に対向するように且つ前記口蓋の形状に対応するように形成された口蓋対向部である。この口蓋対向部１２は、患者の口蓋の実際の形状に基づいて、前記口蓋の実際の形状に合うように、且つ前記歯列対向部１１の口蓋側の部分から連続するように、前記歯列対向部１１と一体的に形成されている。
【００２１】
図２は、図１（ｃ）のアライナーを上方から示す模式図である。図２においては前記外側歯肉対向部１１ｂの図示を省略している。この図２に示すように、前記歯列対向部１１の後方側（喉に近い側）の端部１１ｃ（前記歯列対向部１１の中の患者の内側の歯頚部に対向している内側湾曲縁部）に、この端部（内側湾曲縁部）１１ｃと連続するように、前記歯列対向部１１と一体的に、前記口蓋対向部１２が形成されている。すなわち、本実施例１においては、図２に示すように、前記口蓋対向部１２は、（１）前記歯列対向部１１の患者の後方側（喉に近い側）の端部（内側湾曲縁部）１１ｃと、（２）前記歯列対向部１１の両端部１１ｄ，１１ｅの間を略直線状に結ぶ線分Ｐと、により囲まれた略扇状の部分（図２において斜線で示す部分）が、前記透明樹脂製の薄片（例えばポリエチレン系の熱可塑性の透明な高分子化合物のラミネート）により、前記歯列対向部１１と一体的に形成されることにより、構成されている。すなわち、図２において、斜線で示す部分が前記口蓋対向部１２である。
【００２２】
また、本実施例１においては、図１（ｄ）の断面図に示すように、前記の口蓋対向部１２と外側歯肉対向部１１ｂの一部に、それぞれ、互いに対向し且つ近づくように部分的に湾曲するように形成された括れ部１１ｆ，１１ｇが形成されている。前記の口蓋対向部１２の一部に形成された括れ部１１ｆは、患者の内側（口蓋側）の歯頚部又はその近傍部分を、患者の外側方向に押圧する。また、前記の外側歯肉対向部１１ｂの一部に形成された括れ部１１ｇは、患者の外側（前方側）の歯頚部又はその近傍部分を、患者の内側方向に押圧する。前記２つの括れ部１１ｆ，１１ｇにより、本実施例１のアライナーは、患者の歯に、より一層、安定的に支持・装着されるようになる。
【００２３】
次に、本実施例１のアライナーの製造方法について説明する。本実施例１のアライナーを使用した歯列矯正治療の方式は、基本的には、本明細書の従来技術の中で述べた「矯正治療の各ステップ毎に、そのステップ直前の患者の歯列形状を示す印象とこれにより製作した模型に基づいて、その後の１ステップのアライナーのみ（後述のソフトタイプとハードタイプとの計２個）を機械装置と手作業とで製作する方式」（後者の方式）とほぼ同様である。本実施例１のアライナーを製造するときは、本実施例１のアライナーを使用した歯列矯正治療の各ステップの最初に（又は前段階のステップの最後に）、そのときの患者の上顎側の口腔内（歯列と口蓋）の形状データを取得するため、公知の寒天やアルジネートを使って印象を採取する。この印象採取時には、患者の口蓋まで採取する。この採取した印象に基づいて、例えば硬石膏により、馬蹄形（略弓状）の模型を作製する。そして、公知の透明樹脂、例えばポリエチレン系の熱可塑性透明樹脂製のラミネート（約０．５厚のものと、約０．７５ｍｍ厚のものと、約１．０ｍｍ厚のもの）を用意し、熱を加えた後に吸引力で前記模型に密着させ硬化（圧接成型）する。これにより、所望の形状のアライナーのセット（約０．５ｍｍ厚のソフトタイプのアライナーと、約０．７５ｍｍ厚のハードタイプのアライナーと、１．０ｍｍ厚のスーパーハードのタイプのアライナー）が作製される。本実施例１では、以上の動作を、各ステップ毎に機械装置と手作業で行う。
【００２４】
次に、本実施例１のアライナーの使用方法について説明する。本実施例１のアライナーは、矯正治療に入る前、又は矯正治療の各ステップが終了したときの患者の口腔内（歯列と口蓋）の形状を印象により採取し、この印象に基づいて模型を作製し、これに基づいてアライナーを作製する。作製するアライナーは、約０．５ｍｍ厚のソフトタイプのアライナーと、約０．７５ｍｍ厚のハードタイプのアライナーと、１．０ｍｍ厚のスーパーハードタイプのアライナーの３種類を作製し、歯科医院側（患者側）に届ける。歯科医院側（患者側）では、各ステップにおいて、対応するアライナーの中、まずソフトタイプを１週間使用し、次にハードタイプを１週間、さらにスーパーハードタイプを２週間、使用する。その後、次のステップに進み、印象採取、模型作製、アライナー作製、アライナーを歯科医院側（患者側）に届けて使用する、などの前記と同じ作業を繰り返す。これにより、各ステップ毎に、理想とする歯列に向けて、患者の矯正対象の歯が少しずつ移動する。
【００２５】
以上のように、本実施例１においては、上顎側の歯列に対向する略弓状の歯列対向部１１と上顎側の口蓋に対向する略扇状の口蓋対向部１２とが透明樹脂製の薄片により一体的に成型されている。そのため、本実施例１においては、従来のように略弓状の歯列対向部のみからアライナーが構成される場合と比較して、アライナーを構成する前記略弓状の歯列対向部１１の全体が前記口蓋対向部１２によって支持されることになり、前記略弓状の歯列対向部１１の耐変形性が増大される。よって、本実施例１によれば、アライナーの使用・装着時の患者の歯を移動させる力が強くなり、１回のステップにおける矯正対象の歯の移動距離を伸ばすことができ、歯列矯正治療の全体の期間や費用を大幅に低減することができるようになる。
【００２６】
また、本実施例１では、前述のように、前記歯列対向部１１の患者の外側（前方側＝喉から遠い側）から患者の歯肉頬移行部に向けて約７．８ｍｍ〜１２ｍｍ延びるように形成された外側歯肉対向部１１ｂが一体に形成されているので、前記略弓状の歯列対向部１１が、前記口蓋対向部１２だけでなく前記外側歯肉対向部１１ｂによっても支持されるようになり、前記略弓状の歯列対向部１１の耐変形性が、より一層、増大されるようになる。
【００２７】
また、本実施例１においては、前記の口蓋対向部１２と外側歯肉対向部１１ｂの一部にそれぞれ形成された各括れ部１１ｆ，１１ｇが、患者の内側（口蓋側）の歯頚部又はその近傍部分と患者の外側（前方側）の歯頚部又はその近傍部分とをそれぞれ押圧するので、本実施例１のアライナーが、患者の歯に、より一層、安定的に支持・装着されるようになる。
【００２８】
また、本実施例１においては、アライナーが前記口蓋対向部１２を備えるようにしているので、患者の上顎側の口蓋をアライナーの固定源として使用することができ、その結果（アライナーを固定することにより、アライナーが固定できない場合に比べてアライナーの作用が大幅に増強されるので）、矯正対象となる歯の移動をより確実に行うことができるようになる。また、特に、このように口蓋を固定源として使用できるようになるので、歯列弓の片側のみを拡大する矯正治療についても、より確実に行うことができるようになる。
【００２９】
以上、本発明の実施例１について説明したが、本発明は前記実施例１として述べたものに限定されるものではなく、様々な修正及び変更が可能であることはもちろんである。例えば、前記実施例１においては、前記歯列対向部１１の外側（前方側＝喉から遠い側）には、前記歯列対向部１１の外側（前方側＝喉から遠い側）から患者の歯肉頬移行部まで約７．８ｍｍ〜１２ｍｍ延びる外側歯肉対向部１１ｂが前記歯列対向部１１と一体的に形成するようにしているが、本発明では、患者の口腔に応じて、前記外側歯肉対向部１１ｂは、前記歯列対向部１１の外側から患者の歯肉頬移行部に向けて約６ｍｍ〜１４ｍｍ延びるように形成するようにしてもよい。
【図面の簡単な説明】
【００３０】
【図１】（ａ）は本発明の実施例１による上顎側の歯列矯正用のアライナーの外側（上顎側の歯と対向・接触しない側）を患者の歯列に対向する側から示す斜視図、（ｂ）は本実施例１のアライナーの外側（上顎側の歯と対向・接触しない側）を患者の歯列に対向する側とは逆の口蓋に対向する側から示す斜視図、（ｃ）は本実施例１のアライナーの内側（上顎側の歯と対向・接触する側）を示す斜視図、（ｄ）は図１（ｃ）のアライナーの中央断面図。
【図２】図１（ｃ）のアライナーを上方から示す模式図（前記外側歯肉対向部１１ｂは図示を省略している）。
【図３】図３（ａ）は従来の上顎側の歯列矯正用のアライナーの表側（上顎側の歯と対向しない側）を示す斜視図、図３（ｂ）は従来のアライナーの裏側（上顎側の歯と対向する側）を示す斜視図。
【符号の説明】
【００３１】
１１      歯列対向部
１１ａ  凹凸部
１１ｂ  外側歯肉対向部（歯列対向部の前方側と一体的に形成された部分であって患者の外側歯肉に対応する部分）
１１ｃ  歯列対向部の患者の口蓋側の端部（＝内側湾曲縁部）
１１ｄ，１１ｅ 歯列対向部の両端部
１１ｆ，１１ｇ 括れ部
１２      口蓋対向部
Ｐ          歯列対向部の両端部を結ぶ略直線状の線分
【要約】
【目的】  耐変形性を高めて、１回のステップでの歯の移動距離を伸ばし、歯列矯正治療の期間や費用を低減することができる、上顎側歯列矯正用のアライナーを提供する。
【構成】  歯科矯正治療時に患者の上顎側の歯列に対向させて使用される歯列対向部であって、患者のアライナー装着前の歯列の形状に基づいて形成され、その全体形状が前記上顎側の歯列に対応して略弓状に湾曲している歯列対向部と、歯科矯正治療時に患者の上顎側の口蓋に対向させて使用される口蓋対向部であって、患者のアライナー装着前の口蓋の形状に基づいて形成され、前記歯列対向部の歯頚部と略平行な内側湾曲縁部と前記歯列対向部の両端部を略直線状に結ぶ線分とにより囲まれた略扇状部分を有する口蓋対向部と、を含む上顎側歯列矯正用のアライナーである。
【選択図】    図１【図１】
0004184427.tif 000002
【図２】
0004184427.tif 000003
【図３】
0004184427.tif 000004